(57)【特許請求の範囲】
【請求項１】
足場や作業台等を枠組形成する軸材に対し嵌脱自在な嵌合部を有するフック本体と、ロック片及び作動片を一体に形成してフック本体に揺動可能に取り付けられたロック部材と、このロック部材を、ロック片が嵌合部の出入口側に突入してフック本体を軸材に固定するロック姿勢とロック片が退避して作動片が嵌合部の奥部側に突入するロック解除姿勢の何れかの姿勢に保持するようロック部材とフック本体との間に介装された弦巻ばねとからなり、フック本体は、夫々断面略コ字状のアルミ押出型材からなる一対の半割体を夫々コ字状開口部側が対向するように突き合わせ、その間にロック部材を配置してリベット接合することにより形成され、ロック部材には長溝部と短溝部とからなる略Ｌ字状のガイド溝が形成され、このガイド溝には前記両半割体をリベット接合しているリベット軸からなる２本のガイド軸が通され、ロック部材は、両ガイド軸が何れもガイド溝の長溝部内にある時にロック姿勢となり、このロック姿勢は前記弦巻ばねによって保持され、一方のガイド軸を長溝内に残して他方のガイド軸を短溝部に係合させることによってロック解除姿勢となり、このロック解除姿勢は同じく前記弦巻ばねによって保持され、しかしてロック部材は、ロック姿勢のまま嵌合部を軸材に嵌合する時は、ロック片が軸材で押されて途中まで退避した後ロック姿勢に戻ると共に、該ロック姿勢は前記弦巻ばねによって保持され、ロック解除姿勢のまま嵌合部を軸材に嵌合する時は、作動片が軸材で押されてロック姿勢に変わるようになっているフック装置。
【請求項２】
ロック部材は、所要断面形状のアルミ押出型材をその長手方向に所要厚さ分切断することによって形成される請求項１に記載のフック装置。
【発明の詳細な説明】
【０００１】
【発明の属する技術分野】
本発明は、足場や作業台（例えばタワー）等をパイプ等の軸材によって枠組形成する際に、支柱材間に架け渡される支え材、所要箇所に仮設される梯子あるいは足場板等の端部を上記軸材に掛止するのに使用されるフック装置に関する。
【０００２】
【従来の技術】
従来この種のフック装置として、足場や作業台等を枠組形成する支柱材や横材等のパイプ（軸材）に対し嵌脱自在な略Ｕ字状の嵌合部を有するフック本体と、先端部にロック片が一体に形成されてフック本体に揺動可能に取り付けられたロック部材と、このロック部材をロック片が嵌合部の出入口側に突入してフック本体をパイプに固定するロック姿勢を保持するようにロック部材とフック本体との間に介装されたばねとからなるものがある。
【０００３】
このフック装置は、ロック部材が常時ロック姿勢に保持されていて、ロック姿勢のまま嵌合部をパイプに嵌合させる時は、ロック片がパイプで押されて嵌合部の出入口から一時的に退避した後再び突入してロック姿勢に戻り、この状態でフック本体をパイプから引き離すと、嵌合時と同様にロック片がパイプで押されて一時的に退避するためフック本体はパイプから外れ、ロック部材はロック姿勢に復帰することになる。
【０００４】
【発明が解決しようとする課題】
従来のフック装置では、ロック部材は、ばねによってロック姿勢に保持されるが、ロック解除姿勢には保持されないため、例えば、足場板等のように複数のフック装置が互いに離れた位置に取り付けてある場合に、それらのフック装置をパイプから取り外す際には、二人以上の作業員が必要であった。
【０００５】
本発明は、ロック部材をロック解除姿勢に保持できるようにすることにより、複数のフック装置を取り外す際に、各フック装置のロック部材を予めロック解除姿勢にしておけば、後は一人の作業員で取外し作業を行うことができ、またロック部材がどの姿勢にあってもパイプ等の軸材への嵌合作業が行えると共に、その嵌合作業によってそのままロック状態にすることができるフック装置を提供することを目的とする。尚、本発明における軸材は、主にパイプ（中空円管材）を対象とするが、これに限定されることなく、丸棒（中実円杆材）等の軸材にも適用される。
【０００６】
【課題を解決するための手段】
請求項１に係るフック装置は、足場や作業台等を枠組形成する軸材Ｐに対し嵌脱自在な嵌合部２を有するフック本体３と、ロック片４及び作動片５を一体に形成してフック本体３に揺動可能に取り付けられたロック部材６と、このロック部材６を、ロック片４が嵌合部２の出入口側に突入してフック本体３を軸材Ｐに固定するロック姿勢とロック片４が退避して作動片５が嵌合部２の奥部側に突入するロック解除姿勢の何れかの姿勢に保持するようロック部材６とフック本体３との間に介装された弦巻ばね７とからなり、フック本体３は、夫々断面略コ字状のアルミ押出型材からなる一対の半割体３ａ，３ｂを夫々コ字状開口部側が対向するように突き合わせ、その間にロック部材６を配置してリベット接合することにより形成され、ロック部材６には長溝部１２ａと短溝部１２ｂとからなる略Ｌ字状のガイド溝１２が形成され、このガイド溝１２には前記両半割体３ａ，３ｂをリベット接合しているリベット軸からなる２本のガイド軸１４，１４が通され、ロック部材６は、両ガイド軸１４，１４が何れもガイド溝１２の長溝１２ａ内にある時にロック姿勢となり、このロック姿勢は前記弦巻ばね７によって保持され、一方のガイド軸１４を長溝部１２ａ内に残して他方のガイド軸１４を短溝部１２ｂに係合させることによってロック解除姿勢となり、このロック解除姿勢は同じく前記弦巻ばね７によって保持され、しかしてロック部材６は、ロック姿勢のまま嵌合部２を軸材Ｐに嵌合する時は、ロック片４が軸材Ｐで押されて途中まで退避した後ロック姿勢に戻ると共に、該ロック姿勢は前記弦巻ばね７によって保持され、ロック解除姿勢のまま嵌合部２を軸材Ｐに嵌合する時は、作動片５が軸材Ｐで押されてロック姿勢に変わるようになっていることを特徴とする。
【０００７】
請求項２は、請求項１に記載のフック装置において、フック本体３は、夫々断面略コ字状のアルミ押出型材からなる一対の半割体３ａ，３ｂによって夫々コ字状開口部側が対向するように突き合わせ接合されてなることを特徴とする。
【０００８】
請求項３は、請求項１又は２に記載のフック装置において、ロック部材６は、所要断面形状のアルミ押出型材をその長手方向に所要厚さ分切断することによって形成されることを特徴とする。
【０００９】
【発明の実施の形態】
図１は、アルミパイプ製の組立式作業台Ｋを示したもので、この作業台Ｋのうち、水平ブレスａ、斜めブレスｂ、階段ｃ、足場板ｄ等の各端部に本発明に係るフック装置１が使用され、各フック装置１は作業台Ｋを構成する軸材であるパイプＰに掛止固定されている。図２は、例えば階段ｃ等のフレームｅの両端部に夫々フック装置１が取り付けられた状態を示し、図３〜図７にはフック装置１の詳細構造を示す。
【００１０】
図３〜図５から分かるように、フック装置１は、パイプＰに対し嵌脱自在な略Ｕ字状の嵌合部２を有するフック本体３と、ロック片４及び作動片５を一体に形成してフック本体３に揺動可能に取り付けられたロック部材６と、このロック部材６を、図３の（Ｂ）及び図７の（Ａ）に示すようにロック片４が嵌合部２の出入口側に突入してフック本体３をパイプＰに固定するロック姿勢と図７の（Ｂ）に示すようにロック片４が嵌合部２から退避して作動片５が嵌合部２の奥部側に突入するロック解除姿勢との何れかの姿勢に保持するようにロック部材６とフック本体３との間に介装された弦巻ばね７とによって構成される。
【００１１】
フック本体３は、夫々断面略コ字状のアルミニウム合金押出型材からなる一対の半割体３ａ，３ｂによって夫々コ字状開口部側が対向するように突き合わせ接合されたもので、一方の半割体３ａを図４の（Ａ）〜（Ｄ）に示し、他方の半割体３ｂを図５の（Ａ）〜（Ｃ）に示す。両半割体３ａ，３ｂは、対称形状であって、夫々の一端部側には略Ｕ字状嵌合部２が形成され、また夫々所要位置にリベット孔８〜１１が貫設されている。このように、フック本体３をアルミ押出型材からなる一対の半割体３ａ，３ｂによって夫々コ字状開口部側が対向するように突き合わせ接合して形成すれば、フック本体を鋳造によって製作する場合に比べ、その製作コストを大幅に安くできるものである。
【００１２】
ロック部材６は、図６の（Ａ）〜（Ｃ）に示すように、断面が略々Ｙ字状のアルミニウム合金押出型材をその長手方向に所要厚さ分切断することによって形成されるもので、同図の（Ａ）に示すようにロック片４及び作動片５を有すると共に、長溝部１２ａと短溝部１２ｂとからなる略Ｌ字状のガイド溝１２を有する。また、ロック片４に隣接して手動操作部１３が形成され、この手動操作部１３に指先を係合させて押し引き操作するようになっている。このロック部材６もアルミ押出型材をその長手方向に所要厚さ分切断して形成するようにすれば、鋳造によって製作する場合に比べ、その製作コストを大幅に安くできるものである。
【００１３】
上記のようなフック本体３とロック部材６とばね７とからなるフック装置１を組み立てるには、フック本体３を形成する一対の半割体３ａ，３ｂ間にロック部材６を配置して、一方の半割体３ａの長手方向中央部にある２つのリベット孔８，８からロック部材６のガイド溝１２を通じて他方の半割体３ｂの対応する２つのリベット孔８，８に亘って２本のリベット軸１４，１４を挿通し、また一方の半割体３ａのリベット孔９，１０，１０から他方の半割体３ｂの対応するリベット孔９，１０，１０に亘ってリベット軸１５，１６，１６を挿通すると共に、リベット軸１５に弦巻ばね７を嵌合してその一端部７ａを半割体３ａ，３ｂ側に係止し、他端部７ｂをロック部材６側に係止した状態とし（図７参照）、しかしてこれらのリベット軸１４〜１７の各一端をかしめることによって、両半割体３ａ，３ｂを接合すると共に、弦巻ばね７及びロック部材６を取り付ける。尚、ロック部材６のガイド溝１２に通されたリベット軸１４をガイド軸とする。また、リベット孔１１は、このフック装置１を図３の仮想線図示のようにフレームｅの端部に取り付ける際にリベット軸等を通すためのものである。
【００１４】
こうして組み立てられたフック装置１において、ロック部材６のガイド溝１２に通された２本のガイド軸１２，１２が何れも図７の（Ａ）に示すように長溝部１２ａ内にある時、ロック部材６は、作動片５が嵌合部２から外へ退避し、ロック片４が嵌合部２の出入口側に突入してフック本体３をパイプＰに固定するロック姿勢となる。このロック姿勢は弦巻ばね７によって保持されている。
【００１５】
図７の（Ａ）に示すようなロック姿勢から、手動操作部１３でロック部材６を適宜に動かして、同図の（Ｂ）に示すように２本のガイド軸１２，１２のうちの一方を長溝部１２ａ内に残したまま、他方のガイド軸１２を短溝部１２ｂに係合させることによって、ロック部材６は、ロック片４が嵌合部２の出入口から退避すると同時に、作動片５が嵌合部２の奥部側に突入するロック解除姿勢となる。このロック解除姿勢も弦巻ばね７によって保持されている。
【００１６】
上記のように構成されるフック装置１の使用態様及びその作用について図８〜図１１を参照しながら以下に説明する。
【００１７】
図８は、ロック部材６がロック姿勢に保持されている状態のままで嵌合部２をパイプＰに嵌合する場合であって、同図の▲１▼及び▲２▼に示すように、ロック姿勢のままパイプＰにその上からフック本体３の嵌合部２を押し付けてゆくと、嵌合部２の出入口に突入しているロック片４は、嵌合部２の出入口のところでパイプＰにより押し上げられて途中まで退避し、嵌合部２がパイプＰに嵌合するに伴って再び嵌合部２の出入口に突入し、同図の▲３▼に示すようにロック姿勢に戻り、フック本体３をパイプＰに固定することができる。
【００１８】
図９は、ロック部材６がロック解除姿勢に保持されている状態のままで嵌合部２をパイプＰに嵌合する場合であって、同図の▲１▼に示すように、ロック解除姿勢のままパイプＰにその上からフック本体３の嵌合部２を押し付けてゆくと、嵌合部２の奥部側に突入している作動片５がパイプＰにより押されて、同図の▲２▼に示すように短溝部１２ｂに係合していたガイド軸１２が長溝部１２ａ側に移動して２つのガイド軸１２，１２が共に長溝部１２ａに係合することになり、その結果ロック部材６は、ロック解除姿勢からロック姿勢へと姿勢変更して、パイプＰに嵌合されたフック本体３を固定する。ロック姿勢は弦巻ばね７によって保持される。
【００１９】
図８及び図９で示したように、ロック部材６がロック姿勢、ロック解除姿勢の何れの姿勢にあっても、フック本体３の嵌合部２をパイプＰに上から押し込むことによって、そのままロック姿勢でフック本体３をパイプＰに固定することができる。
【００２０】
図１０は、嵌合部２がパイプＰに嵌合してロック部材６がロック姿勢でフック本体３をパイプＰに固定した状態から、ロック部材６のロック状態を解除し、フック本体３を離脱させる場合である。この場合には、先ず同図▲１▼に示すように、ロック部材６を、手動操作部１３によって同図の矢印方向へ引き上げながら、フック本体３を同図▲２▼に示すようにパイプＰから上方へ抜き取り、手動操作部１３を放すと、弦巻ばね７によってロック部材６は元のロック姿勢に戻り、そのままロック姿勢に保持されて同図▲３▼のようになる。
【００２１】
図１１は、同じく嵌合部２がパイプＰに嵌合してロック部材６がロック姿勢でフック本体３をパイプＰに固定した状態から、ロック部材６のロック状態を解除し、フック本体３を離脱させる場合であるが、この場合には、同図▲１▼に示すように、ロック部材６を、手動操作部１３によって同図の矢印方向へ引き上げながら、同図▲２▼に示すようにフック本体３をパイプＰから上方へ抜き取ると同時に、ロック部材６を同図の右方へ引くことにより、ロック部材６をロック姿勢からロック解除姿勢へ切り換えるようにしたもので、ロック解除姿勢は弦巻ばね７によって保持される。
【００２２】
図１０及び図１１で示したように、ロック部材６を引くことによって、ロック姿勢のままパイプＰからフック本体３を抜き取ることができ、またロック部材６を更に引くことによって、パイプＰからフック本体３を抜き取った後、ロック部材６をロック解除姿勢に保持することができる。
【００２３】
【発明の効果】
請求項１に係る発明のフック装置によれば、ロック部材をロック姿勢に保持できると共にロック解除姿勢にも保持できるため、例えば足場板のように複数のフック装置が互いに離れた位置に取り付けてある場合に、それらのフック装置を軸材から取り外す際には、各フック装置のロック部材を順次ロック解除姿勢に保持してゆけば、足場板を持ち上げることによって、全てのフック装置を一斉に軸材から外すことができるから、その取外し作業を一人で行うことができる。
【００２４】
また、このフック装置によれば、ロック部材がロック姿勢にある時でも、ロック解除姿勢にある時でも、フック本体の嵌合部を軸材に嵌合できると共に、そのままロック姿勢となってフック本体が自動的に軸材に固定され、従って装置の使用が非常に簡単で作業性の向上を図ることができると共に、ロックのし忘れがなくなり、安全性の向上を図るとができる。
【００２５】
請求項２に記載のように、フック本体を、夫々断面略コ字状のアルミ押出型材からなる一対の半割体によって夫々コ字状開口部側が対向するように突き合わせ接合して形成すれば、フック本体を鋳造によって製作する場合に比べ、その製作コストを大幅に安くできる。
【００２６】
請求項３に記載のように、ロック部材を、所要断面形状のアルミ押出型材をその長手方向に所要厚さ分切断することによって形成すれば、ロック部材を鋳造により製作する場合に比べ、その製作コストを大幅に安くできる。
【図面の簡単な説明】
【図１】  本発明に係るフック装置が使用される組立式作業台を示す斜視図である。
【図２】  （Ａ）はフレームの両端部にフック装置を取り付けた状態の平面図、（Ｂ）はその正面図である。
【図３】  フック装置の平面図、（Ｂ）は正面図、（Ｃ）は底面図、（Ｄ）は左側面図、（Ｅ）は右側面図である。
【図４】  （Ａ）はフック本体を形成する一方の半割体を示す正面図、（Ｂ）は左側面図、（Ｃ）は右側面図、（Ｄ）は底面図である。
【図５】  （Ａ）はフック本体を形成する他方の半割体を示す正面図、（Ｂ）は左側面図、（Ｃ）は右側面図である。
【図６】  （Ａ）はロック部材を示す正面図、（Ｂ）は左側面図、（Ｃ）は右側面図である。
【図７】  片方の半割体を取り外した状態でのフック装置の構造を示す正面図で、（Ａ）はロック部材がロック姿勢にある状態を示し、（Ｂ）はロック解除姿勢にある状態を示す。
【図８】  ▲１▼〜▲３▼はロック部材がロック姿勢に保持された状態のままで嵌合部をパイプ（軸材）に嵌合する場合の使用形態を示す説明図である。
【図９】  ▲１▼〜▲３▼はロック部材がロック解除姿勢に保持された状態のままで嵌合部をパイプに嵌合する場合の使用形態を示す説明図である。
【図１０】  ▲１▼〜▲３▼はロック部材がロック姿勢でフック本体をパイプに固定した状態からフック本体を離脱させた後、ロック部材をロック姿勢に保持する場合の使用形態を示す説明図である。
【図１１】  ▲１▼〜▲３▼はロック部材がロック姿勢でフック本体をパイプに固定した状態からフック本体を離脱させた後、ロック部材をロック解除姿勢に保持する場合の使用形態を示す説明図である。
【符号の説明】
Ｐ                パイプ（軸材）
１                フック装置
２                嵌合部
３                フック本体
３ａ，３ｂ        半割体
４                ロック片
５                作動片
６                ロック部材
７                ばね
【図１】
0003679946.tif 000002
【図２】
0003679946.tif 000003
【図３】
0003679946.tif 000004
【図４】
0003679946.tif 000005
【図５】
0003679946.tif 000006
【図６】
0003679946.tif 000007
【図７】
0003679946.tif 000008
【図８】
0003679946.tif 000009
【図９】
0003679946.tif 000010
【図１０】
0003679946.tif 000011
【図１１】
0003679946.tif 000012